(57)【要約】【課題】草刈作業の労力を軽減でき、かつ、作業効率を向上できる肩掛け式刈払機を提案すること。【解決手段】肩掛け式刈払機１は、刈払機本体２と、これを地面から所定の高さ位置に支持するための補助具３とを有している。補助具３は、支持脚４と、これを刈払機本体側の操作ロッド２ａに取り付けるための取付部５を備えている。草刈作業に当たっては、支持脚４を所定角度に開いて固定し、この状態で支持脚４を地面に立てる。この結果、刈払機本体２の重量が支持脚４によって支えられる。作業者は、支持脚４を中心に、刈払機の操作ロッド２ａを左右に振って、その先端の刈刃２ｃによって雑草を刈ることができる。作業者は刈払機の重さに耐える必要がないので、労力を伴うことなく、簡単に草刈作業を行うことができる。【選択図】図１
0003114348.tif 000002
【実用新案登録請求の範囲】
【請求項１】
肩掛け式の刈払機を支えるための支持脚と、
この支持脚を当該刈払機の操作ロッドに取り外し可能な状態で取り付けるための取付部とを有していることを特徴とする刈払機の補助具。
【請求項２】
請求項１において、
前記取付部には、ピボット軸受を介して、前記支持脚が取り付けられていることを特徴とする刈払機の補助具。
【請求項３】
請求項１または２において、
前記操作ロッドに対する前記支持脚の取り付け角度を調整可能な角度調整機構を有していることを特徴とする刈払機の補助具。
【請求項４】
請求項１または２において、
前記支持脚を、少なくとも、前記操作ロッドに平行に重ねた収納位置および当該操作ロッドに対して所定の角度となるように開いた開き位置に固定可能な角度調整機構を有していることを特徴とする刈払機の補助具。
【請求項５】
請求項１ないし４のうちのいずれかの項において、
前記支持脚は長さ調整可能であることを特徴とする刈払機の補助具。
【請求項６】
請求項１ないし５のうちのいずれかの項において、
複数本の前記支持脚を有していることを特徴とする刈払機の補助具。
【請求項７】
請求項１ないし５のうちのいずれかの項において、
前記支持脚の下端部分が複数の支持脚に分岐していることを特徴とする刈払機の補助具。
【請求項８】
肩掛け式の刈払機本体と、
この刈払機の操作ロッドに取り付けた支持脚とを有し、
前記支持脚によって前記刈払機の重量を支えながら刈払作業を行うことが可能となっていることを特徴とする刈払機。
【請求項９】
請求項８において、
前記支持脚は、ピボット軸受を介して、前記操作ロッドに取り付けられていることを特徴とする刈払機。
【請求項１０】
請求項８または９において、
前記操作ロッドに対する前記支持脚の取り付け角度を調整可能な角度調整機構を有していることを特徴とする刈払機。
【請求項１１】
請求項８または９において、
前記支持脚を、少なくとも、前記操作ロッドに平行に重ねた収納位置および当該操作ロッドに対して所定の角度となるように開いた開き位置に固定可能な角度調整機構を有していることを特徴とする刈払機。
【請求項１２】
請求項８ないし１１のうちのいずれかの項において、
前記支持脚は長さ調整可能であることを特徴とする刈払機。
【請求項１３】
請求項８ないし１２のうちのいずれかの項において、
複数本の前記支持脚を有していることを特徴とする刈払機。
【請求項１４】
請求項８ないし１２のうちのいずれかの項において、
前記支持脚の下端部分が複数の支持脚に分岐していることを特徴とする刈払機。
【請求項１５】
請求項８ないし１４のうちのいずれかの項において、
前記支持脚は、前記操作ロッドにおける操作ハンドル取り付け位置よりも後側の位置に取り付けられていることを特徴とする刈払機。
【考案の詳細な説明】
【技術分野】
【０００１】
本考案は雑草等を刈り取る刈払機に関し、さらに詳しくは、肩掛け式の刈払機による刈り取り作業を簡単に行うことができるようにした改良技術に関するものである。
【背景技術】
【０００２】
雑草等を刈り取る肩掛け式の刈払機は、一般に、操作ロッドと、この操作ロッドの基端に取り付けられたエンジンなどの動力源と、操作ロッドの先端に取り付けられた刈刃ユニットと、操作杆の内部に回転自在に挿通され、動力源からの駆動力を刈刃ユニットに伝達する伝達軸とを有している。操作ロッドには操作ハンドルが取り付けられており、ここに配置されたアクセルレバーなどを操作して動力源の出力を調節するようになっている。
【０００３】
作業者は、肩掛けバンドなどを用いて刈払機を吊り下げ、操作ハンドルを握り、先端の刈刃を半円を描くように左右に振りながら草刈作業を行う。一回に草刈できる範囲が制限されているので、作業者は、当該範囲の草刈が終了する毎に２から３歩前へ出て草刈作業を行う必要がある。草刈作業を長時間行うと、刈払機の重量、エンジンの振動などで、肩・腰等にはかなりの負荷がかかる。それ故、草刈作業は重労働である。
【０００４】
そこで、刈払機を手押し車に取り付けたものが提案されている。このような刈払機は、例えば、特許文献１に開示されている。
【特許文献１】実用新案第３０５９７４３号公報
【考案の開示】
【考案が解決しようとする課題】
【０００５】
当該特許文献に開示されているものは、石などが転がっている凸凹の場所や傾斜地などの場合には姿勢が不安定になってしまう。また、草丈が50から60cmになると、草刈作業が行いづらくなる。したがって、手押し車に取り付けた刈払機を用いた草刈作業は作業効率が悪い。
【０００６】
本考案の課題は、このような点に鑑みて、草刈作業の労力を軽減でき、かつ、作業効率を向上できる肩掛け式刈払機および補助具を提案することにある。
【課題を解決するための手段】
【０００７】
上記の課題を解決するために、本考案の刈払機の補助具は、肩掛け式の刈払機を支えるための支持脚と、この支持脚を当該刈払機の操作ロッドに取り外し可能な状態で取り付けるための取付部とを有していることを特徴としている。
【０００８】
本考案の補助具を肩掛け式刈払機の操作ロッドに取り付け、草刈作業においては、補助具の支持脚を作業場所の地面に立て、支持脚を中心として操作ロッドを左右に振り回して、その先端に取り付けられている刈刃によって雑草などの刈り取りを行う。刈払機の重量が支持脚によって支持されるので、作業者は刈払機の重さに耐える必要がないので、労力を必要とすることなく草刈を行うことができる。また、支持脚を中心として、安定した状態で作業を行うことができる。
【０００９】
ここで、前記取付部には、ユニバーサルジョイント、ボールジョイントなどのピボット軸受を介して、前記支持脚が取り付けられていることが望ましい。この場合には、ピボット軸受を中心として、刈刃が取り付けられている操作ロッドを所定の高さ位置の所で左右に振る操作が自由にできる。よって、草刈作業を効率良く行うことができる。
【００１０】
また、操作ロッドを一定の高さに据えて、所定の角度で草刈作業を行う場合などにおいては、前記操作ロッドに対する前記支持脚の取り付け角度を調整可能な角度調整機構を有していることが望ましい。
【００１１】
さらに、持ち運び時、収納時等に支持脚が邪魔にならないようにするためには、前記支持脚を、少なくとも、前記操作ロッドに平行に重ねた収納位置および当該操作ロッドに対して所定の角度となるように開いた開き位置に固定可能な角度調整機構を有していることが望ましい。
【００１２】
さらにまた、背丈の異なる人に合わせることができるように、前記支持脚は長さ調節機構を備えていることが望ましい。
【００１３】
ここで、複数本の前記支持脚を有している構成を採用することも可能である。この代わりに、前記支持脚の下端部分を複数の支持脚に分岐した構成を採用してもよい。
【００１４】
次に、本発明は上記構成の補助具を備えた刈払機に関するものであり、肩掛け式の刈払機本体と、この刈払機の操作ロッドに取り付けた支持脚とを有し、前記支持脚によって前記刈払機の重量を支えながら刈払作業を行うことが可能となっていることを特徴としている。
【００１５】
ここで、前記支持脚は、ピボット軸受を介して、前記操作ロッドに取り付けられていることが望ましい。
【００１６】
また、前記操作ロッドに対する前記支持脚の取り付け角度を調整可能な角度調整機構を有していることが望ましい。
【００１７】
さらに、前記支持脚を、少なくとも、前記操作ロッドに平行に重ねた収納位置および当該操作ロッドに対して所定の角度となるように開いた開き位置に固定可能な角度調整機構を有していることが望ましい。
【００１８】
さらにまた、前記支持脚は長さ調節機構を備えていることが望ましい。
【００１９】
ここで、複数本の前記支持脚を有している構成を採用することも可能である。この代わりに、前記支持脚の下端部分を複数の支持脚に分岐した構成を採用してもよい。
【００２０】
一般的には、前記支持脚は、前記操作ロッドにおける操作ハンドル取り付け位置よりも後側の位置に取り付ければよい。
【考案の効果】
【００２１】
本考案の刈払機の補助具を用いれば、補助具が刈払機の重量を支えてくれるので、肩・腰等にかかる負荷を軽減できるという優れた効果が得られる。
【考案を実施するための最良の形態】
【００２２】
以下に、図面を参照して、本考案を適用した補助具付きの肩掛け用刈払機の一例を説明する。
【００２３】
図１は、本例の肩掛け用刈払機を用いて雑草を刈り取る草刈作業を行っている様子の説明図である。また、図２は肩掛け用刈払機の斜視図である。これらの図を参照して説明すると、本例の肩掛け用刈払機１は、刈払機本体２と、この刈払機本体２を支えるための補助具３とを有している。
【００２４】
刈払機本体２は、操作ロッド２ａと、この操作ロッド２ａの後端部に取り付けられたエンジンなどの動力源２ｂと、操作ロッド２ａの先端に取り付けられた刈刃ユニット２ｃと、操作ロッド２ａの内部に回転自在に挿通され、動力源２ｂからの駆動力を刈刃ユニット２ｃに伝達する伝達軸(図示せず)とを有している。操作ロッド２ａにおける軸線方向の中心よりも後端側の部位には、これに直交する状態でＵ字状の操作ハンドル２ｄが取り付けられている。操作ハンドル２ｄに取り付けられているアクセルレバー(図示せず)を操作することにより、動力源２ｂの出力を調整できる。操作ロッド２ａにおける操作ハンドル２ｄの後側近傍位置にはフック２ｅが取り付けられており、ここに、肩掛けバンド２ｆが掛けられるようになっている。
【００２５】
補助具３は、支持脚４と、この支持脚４の上端部を操作ロッド２ａに連結している取付部５とを備えている。取付部５を中心として、支持脚４は操作ロッド２ａに対してほぼ垂直に開いた全開位置４Ａから、操作ロッド２ａに沿って平行となった収納位置４Ｂまでの間を旋回可能であり、これらの間の所定の角度位置の所に支持脚４を固定できるようになっている。また、取付部５は、着脱可能な状態で操作ロッド２ａにおける操作ハンドル２ｄの後側の部位に取り付けられている。
【００２６】
図３(ａ)は補助具３の取付部５を図２のＡ−Ａ線で切断した部分の概略断面図であり、図３(ｂ)は図２のＢ−Ｂ線で切断した部分の概略断面図である。これらの図を参照して、取付部５の構成例を説明する。
【００２７】
取付部５は、本体ブロック１１と、本体ブロック１１の側面に締結ボルト１２によって締結固定されている着脱ブロック１３とを備えている。本体ブロック１１の側面には半円形の溝１４が形成されており、着脱ブロック１３の側面にも半円形の溝１５が形成されている。これらの間に操作ロッド２ａを挟み、締結ボルト１２によって締結することにより、取付部５が操作ロッド２ａに固定される。
【００２８】
本体ブロック１１には球形の凹部１６が形成されており、ここには、同心状態で、支持脚４の上端部に形成した球体１７が回転可能な状態で装着されている。本例では、本体ブロック１１に約９０度の開口１８が形成されており、支持脚４は、操作ロッド２ａと同一の平面上を開き位置４Ａから収納位置４Ｂまで旋回可能となっている。
【００２９】
球形の凹部１６と球体１７の間には、球体外周面に固定した弾性材１８が介在されている。本体ブロック１１には外面から凹部１６に達するボルト穴１９が形成されており、ここに、外側から固定用ボルト２０がねじ込まれている。支持脚４を所定の角度に開き、固定用ボルト２０をねじ込むと、その脚部先端が弾性材１８に食い込み、支持脚４をその角度位置に固定する。このように、固定用ボルト２０によって支持脚４の角度調整機構が形成されている。
【００３０】
次に、支持脚４は、細長い外筒４１と、この内部に収納可能な細長い内筒４２と、外筒下端開口から所定長さだけ内筒４２を引き出した状態で固定するための固定ねじ４３とを備えている。外筒４１および内筒４２は、下端に向かうにしたがって外径寸法が漸減しており、スキーや登山などで用いられているストックのような形状をしている。本例では、内筒４２の引き出し量を調整することにより、支持脚４の長さを、約80cmから約90cmの間で調整できるようになっている。内筒４２の下端には円錐状の石突部４２ａが取り付けられている。
【００３１】
このように構成した本例の刈払機１を肩に掛けて、補助具２の固定用ボルト２０を緩めて、図２において想像線で示す収納位置４Ｂに折りたたまれている支持脚４を開き位置４Ａまで開き、地面に立てる。この状態で、支持脚４の長さ調整を行う。次に、支持脚４の角度調整を行い、固定用ボルト２０を締め付けて支持脚４をその角度に固定する。地面が図１に示すような平地の場合には、支持脚３と操作ロッド２ａとのなす角度が約50〜約60度の間とされる。
【００３２】
この後は、操作ハンドル２ｄを握って、支持脚４の上端を中心として、先端の刈刃ユニット２ｃが半円を描くように操作ロッド２ａを左右に振りながら草刈作業を行う。草刈作業中においては、刈払機本体２の重量を補助具３が支えてくれるので、作業者の肩や腰にかかる負荷を軽減できる。また、支持脚４は、操作ロッド２ａに対する角度、および自身の長さを調整可能であるので、凸凹のある場所や傾斜地などの作業場所に応じて、これらを調整することにより、草刈作業を効率良く簡単に行うことができる。さらに、石突部３２ａは先が尖った円錐状に形成されているので、石突部３２ａが地中に突き刺さり、刈払機２を振り回す際の支点が固定されるので、安定して草刈作業を行うことができる。また、石突部３２ａを地中からスムーズに抜くことができるので、次の草刈作業への移行を簡単に行うことができる。
【００３３】
さらには、支持脚４の角度調整では、弾性材１８を介して固定ボルト２０を押し込み、球体１７を固定している。したがって、固定ボルト２０を締め付けると、その脚部先端面が弾性材に食い込み、脚部先端面は弾性材に面接触した状態になる。よって、固定ボルト２０による支持脚４の固定力が増加し、所定の角度状態に支持脚４を保持できる。
【００３４】
(その他の実施の形態)
上記の例では、支持脚４をボールジョイントを介して操作ロッド２ａに取り付けている。これ以外の形式のジョイント部分を介して支持脚を操作ロッド２ａに取り付けることもできる。例えば、円筒状のパイプに円柱を回転可能な状態で装着した構造のジョイントを採用することができる。
【００３５】
また、上記の例では支持脚４を同一平面上においてほぼ９０度の角度範囲を旋回可能としてあるが、ユニバーサルジョイント、ボールジョイントなどからなるピボット軸受を用いて、前後左右の任意の方向に所定の角度に渡って旋回可能とすることもできる。
【００３６】
さらに、支持脚４を操作ロッド２ａに対して着脱可能な状態で取り付けるための取付部５の構造は、上記の例に限定されるものではなく、各種の構造を採用できる。
【００３７】
さらにまた、支持脚４を２本以上とすることも可能である。また、図４(ａ)に示すように、一本の支持脚４の下端部分から支持脚４５に分岐した構成を採用することもできる。この場合、支持脚４５の支持脚４に対する取り付け角度を調整可能にしておくこともできる。さらに、図４(ｂ)に示すように、下端部分が三叉状に分岐した構成の支持脚４Ａを用いることもできる。
【図面の簡単な説明】
【００３８】
【図１】本発明を適用した肩掛け用刈払機を用いて雑草を刈り取る草刈作業を行っている様子の説明図である。
【図２】図１の刈払機の斜視図である。
【図３】(ａ)は図２のＡ−Ａ線で切断した部分の概略断面図であり、(ｂ)は図２のＢ−Ｂ線で切断した部分の概略断面図である。
【図４】(ａ)および(ｂ)は、本発明のその他の実施の形態に係る刈払機の補助具の説明図である。
【符号の説明】
【００３９】
１  刈払機
２  刈払機本体
２ａ  操作杆
２ｂ  動力源
２ｃ  刈刃
２ｄ  操作ハンドル
２ｆ  肩掛けバンド
３  補助具
４、４５〜４９  支持脚
４Ａ  開き位置
４Ｂ  収納位置
５  取付部
１１  本体ブロック
１２  締結ねじ
１３  着脱ブロック
１４、１５  溝
１６  球形の凹部
１７  球体
１８  弾性材
２０  固定ボルト
４１  外筒
４２  内筒
【図１】
0003114348.tif 000003
【図２】
0003114348.tif 000004
【図３】
0003114348.tif 000005
【図４】
0003114348.tif 000006